(57)【要約】【課題】ドア側の磁石と床面に揺動自在に設置された磁性体プレートとを吸着させることによりドアを全開位置に固定する戸当りであって、容易かつ確実にドアを全開位置にロックすることができ、しかもプレートの内部や下側に砂やほこりが堆積しにくい戸当りを提供する。【解決手段】床面に固定された台座、磁性体からなり、台座に上下に揺動自在に取り付けられたプレートと、ドア下部に固定された磁石を有する戸当り。磁石が、ケースと、該ケースに取り付けられた磁石本体と、該ケースに挿入された操作部材と、該操作部材内部に収容され、貫通孔に上下動自在に挿入されたストッパと、該ケースの内部に収容され該操作部材と該ストッパを上方へ付勢する圧縮コイルバネと、該ケースの裏蓋とからなり、前記ストッパが、前記磁石の下面に出没自在に設けられ、前記裏蓋の前面に表示部を有し、前記プレートが、ドアの開放時に前記ストッパに嵌合されてなる。【選択図】図１
2008190314.tif 000002
【特許請求の範囲】
【請求項１】
（ａ）床面に固定された台座、
（ｂ）磁性体からなり、前記台座に上下に揺動自在に取り付けられたプレート、および
（ｃ）ドアの下部に固定された磁石を有する戸当りであって、
前記磁石が、ドアの下面に固着されたケースと、該ケースに回動自在に取り付けられた一対の磁石本体と、該ケースの上部に上下自在に挿入された操作部材と、該操作部材内部に収容されるとともに該ケースの貫通孔に上下動自在に挿入された略四角柱状のストッパと、該ケースの内部に収容され該操作部材および該ストッパを上方へ付勢する圧縮コイルバネと、該ケースの裏面を覆う裏蓋とからなり、
前記ストッパが、前記磁石の下面に出没自在に設けられ、
前記裏蓋の前面に、前記ストッパが下方に突出していることを視認し得るよう少なくとも一部が着色された表示部を有し、
前記プレートが、ドアの開放時に前記ストッパに嵌合されてなる戸当り。
【請求項２】
前記台座には、前記プレートが前記磁石に衝突するときに、当該プレートの後端に当接し得る当接部が設けられてなる請求項１記載の戸当り。
【請求項３】
前記プレートの下面には、緩衝体が設けられてなる請求項１または２記載の戸当り。
【請求項４】
前記プレートの軸部には、当該プレートの揺動角度を規制するための傾斜部が形成されてなる請求項１、２または３記載の戸当り。
【発明の詳細な説明】
【技術分野】
【０００１】
本発明は戸当りに関する。さらに詳しくは、ドア側の磁石と床面に揺動自在に設置された磁性体からなるプレートとを吸着させることにより、ドアを全開位置に固定することができる戸当りに関する。
【背景技術】
【０００２】
従来より、図１２〜１３に示すように、ドア５０の開閉によりドア５０またはノブ５１が壁またはドア５０周辺の家具やキャビネット５２などに衝突し、これらに損傷が生じるのを防ぐために戸当り５３がドア５０の付近の床５４に設けられている。
【０００３】
かかる戸当り５３としては、床５４に立設される雄ねじ（図示せず）に螺着される基部５５と、該基部５５の上部に固着される緩衝体５６とからなるものがある。
【０００４】
また、ドア５０を開放状態にしておくために、前記基部５５内に差し込まれているＵ字状の止め金具５７を引き抜き、ドア５０の側面に設けられた鉤付き座金５８の鉤部５９に係止するようにしている。
【発明の開示】
【発明が解決しようとする課題】
【０００５】
しかしながら、前記戸当り５３では、常時床５４に立設されているため、前記ドア５０が戸当り５３に固定されていない場合、歩行中誤って戸当り５３に蹴つまづいてしまう惧れがある。
【０００６】
また、運搬物、たとえばキャビネット５２を移動させる際に、邪魔になるし、誤ってキャビネット５２が戸当り５３に衝突すると、キャビネット５２がへこんだり、戸当り５３が変形する惧れがある。さらに、床掃除をする際に邪魔になっていた。
【０００７】
さらに、従来の戸当り５３は、常時床５４に立設されているため、床５４の上に異物が突出しているように見え、美観上好ましくない。
【０００８】
一方、床から出没自在の戸当りも種々検討されており、従来より知られている出没自在の戸当りとして、磁石を用いた戸当りなどがある。特許公報第２９９０６０１号および特開平１０−１１５５１３９号公報に記載された磁石を用いた戸当りは、たとえば、床面に揺動自在に設置された磁性体プレートを、ドア側の磁石に吸着させることによりドアを全開位置に固定している。
【０００９】
しかし、ドアの表面積は比較的広いので、ドアに風が当って強い力が加われば、磁石とプレートとのあいだの吸着力のみでは、ドアを全開位置に保持することができなくなり、ドアがいきおいよく閉まってしまうなどの問題がある。
【００１０】
また、ドアを開放位置に仮止めできるように、磁石下面にストッパを突設し、磁性体プレートに該ストッパを係合するための貫通孔を形成することが考えられるが、この場合、貫通孔内部、または貫通孔を通って磁性体プレート下側に砂やほこりが堆積し、それにより、プレートの揺動不良やプレートの汚れなどの問題が生じる。
【００１１】
本発明はかかる問題を解消するためになされたものであり、ドア側の磁石と床面に揺動自在に設置された磁性体プレートとを吸着させることによりドアを全開位置に固定する戸当りであって、容易かつ確実にドアを全開位置にロックすることができ、しかもプレートの内部や下側に砂やほこりが堆積しにくい戸当りを提供することを目的とする。
【課題を解決するための手段】
【００１２】
本発明の戸当りは、（ａ）床面に固定された台座、
（ｂ）磁性体からなり、前記台座に上下に揺動自在に取り付けられたプレート、および
（ｃ）ドアの下部に固定された磁石を有する戸当りであって、
前記磁石が、ドアの下面に固着されたケースと、該ケースに回動自在に取り付けられた一対の磁石本体と、該ケースの上部に上下自在に挿入された操作部材と、該操作部材内部に収容されるとともに該ケースの貫通孔に上下動自在に挿入された略四角柱状のストッパと、該ケースの内部に収容され該操作部材および該ストッパを上方へ付勢する圧縮コイルバネと、該ケースの裏面を覆う裏蓋とからなり、
前記ストッパが、前記磁石の下面に出没自在に設けられ、
前記裏蓋の前面に、前記ストッパが下方に突出していることを視認し得るよう少なくとも一部が着色された表示部を有し、
前記プレートが、ドアの開放時に前記ストッパに嵌合されてなることを特徴とする。
【００１３】
前記台座には、前記プレートが前記磁石に衝突するときに、当該プレートの後端に当接し得る当接部が設けられてなるのが好ましい。
【００１４】
前記プレートの下面には、緩衝体が設けられてなるのが好ましい。
【００１５】
前記プレートの軸部には、当該プレートの揺動角度を規制するための傾斜部が形成されてなるのが好ましい。
【発明の効果】
【００１６】
本発明によれば、磁石の吸引力により床上のプレートを揺動させる戸当りに、さらに、プレートを磁石の下面に着脱自在に係合するロック機構を設けたことにより、容易かつ確実にドアを全開位置にロックすることができる。したがって、ドアＤに風が当っても不意に閉まるなどの問題がなくなるため、強い風が当りやすい高層マンションのドアなども容易かつ確実に全開位置にロックすることができる。
【００１７】
しかも、プレートにはストッパと係合するための凹部がプレス加工などによって形成されているため、砂やほこりはプレートが揺動することによって凹部内部から除去され、しかも凹部を通してプレートの下側に回りこむこともない。したがって、プレートの揺動不良や汚れなどの問題が生じない。
【００１８】
また、戸当りを使用しない場合には、本体部分のプレートが床面とほぼ面一になるため、歩行やキャビネットなど運搬物の移動を安定に行なうことができる。
【００１９】
しかも、ドアを全開にしていないときには、プレートが床面とほぼ面一になるため、ドア周辺の床面は平坦であり、美観を向上することができる。しかも、床面のフラット感を生かした玄関周りのエクステリア設計が可能になる。
【発明を実施するための最良の形態】
【００２０】
つぎに図面を参照しながら本発明の戸当りを詳細に説明する。図１は本発明の戸当りの一実施の形態を示す斜視説明図、図２は図１の磁石の断面説明図、図３は図１の磁石を下から見た図、図４は図１のケース内部を上から見た図、図５〜８は図１の磁石におけるストッパのための昇降機構の主要部の動きを示す工程説明図、図９は図１の本体部分の平面説明図であって、（ａ）は台座を上から見た図、（ｂ）はプレートを上から見た図ならびに（ｃ）は軸押さえ板を上から見た図、および図１０〜１１は図１の磁石下面のストッパとプレートとが係合する工程を示す工程断面説明図である。
【００２１】
図１に示される戸当りは、大きく分けて床面に設置された本体部分１と、ドアＤに固着される磁石２とから構成されている。
【００２２】
本体部分１は、図１および図９に示されるように、床面にネジなどで固定されたナイロン、ポリアセタールなどのエンジニアリング樹脂や亜鉛合金などからなる台座３に、鉄などの磁性体からなるプレート４が揺動自在に取り付けられている。本体部分１の設置方法については、本発明ではとくに限定するものではなく、図１のように床面に設置してもよいし、または床に形成される埋設穴に埋設してもよい。
【００２３】
本体部分１は、図９（ａ）〜（ｃ）に示されるように、台座３と、プレート４と、軸押さえ板１５とから構成されている。
【００２４】
プレート４には、後述する磁石２下面のストッパ９に係合し得る凹部５が形成されている。凹部５は、プレート４の一部が凹んでいるだけであり、貫通していない。そのため、砂やほこりは、プレート４が図１０〜１１のように上下に揺動することによって凹部５内部から除去され、しかも凹部５を通してプレート４の下側に回りこむこともない。その結果、プレート４の揺動不良や汚れなどの問題が生じることがない。
【００２５】
プレート４は、鉄やスチールなどの磁性体材料により作製され、たとえば図９（ｂ）および図１０〜１１に示されるように、１枚の薄い鉄板をプレス加工したり、または２枚以上の金属板を積層してもよい。たとえば、複数の金属板を用いてプレートを作製する場合、最上層の金属板に凹部を形成し、下層の金属板には前記最上層の金属板の凹部下側に生じる突出部分を挿入し得る貫通孔を形成し、これら複数の金属板をかしめなどによって互いに固着すればよい。
【００２６】
プレート４の凹部５の形状は、本発明においてとくに限定されるものではなく、ストッパ９の形状に対応するように選定すればよく、たとえば図９（ｂ）に示される矩形形状の凹部や円形の凹部を採用することができる。
【００２７】
台座３には、プレート４を収容する矩形の開口部３ａが形成されている。プレート４は、台座３の開口部３ａに下方から挿入され、プレート４の後端両側に突設された軸部１６は、下方に開いた一対の軸受凹部３ｂに回転自在に挿入されている。
【００２８】
図９（ａ）に示されるように、一対の軸受凹部３ｂは、台座３の下面にかしめまたは接着などにより固着された軸押さえ板１５によって閉塞されているので、軸部１６が台座３の軸受凹部３ｂから脱落する心配がない。また、図９（ｃ）に示されるように、軸押さえ板１５の中央部には、突片１５ａが前方に突設されている。突片１５ａは、プレート４の下方への落込みを防止している。
【００２９】
また、図９（ａ）、図１０および図１１に示されるように、台座３の下面には、プレート４が磁石２に衝突するときにプレート４の後端に当接し得る当接部３ｃが設けられているため、磁石２に衝突したときにプレート４が受ける衝撃を当接部３ｃで受けることができ、プレート４の軸部１６（図９（ｂ）参照）などの破損を防止することができる。
【００３０】
また、図９（ｂ）、図１０および図１１に示されるように、プレート４の下面には、薄いゴム層などからなる緩衝体２０が設けられている。そのため、図１１に示されるプレート４の上方位置から図１０に示されるプレート４の下方位置に移行するときに、プレート４下面の緩衝体２０がプレート４と床面との衝突を緩和するので、大きな金属音の発生を防止することができる。
【００３１】
しかも、プレート４の軸部１６には、プレート４の揺動角度を規制するための傾斜部１６ａが、プレート４の後方（図９（ｂ）では右方向）へ向かうにつれて上昇する方向に形成されている。そのため、プレート４が所定の揺動角度（たとえば３０度程度）まで上方へ揺動すれば、傾斜部１６ａが台座３の下面に面接触することによって、プレート４の揺動角度を正確に規制することができる。
【００３２】
磁石２は、図１〜３に示されるように、ドアＤの下面にネジなどによって固着されたケース６と、当該ケース６の下面に若干突出するように、後述するピン１７廻りに回動自在に取り付けられた一対の磁石本体７と、ケース６の上部に上下動自在に挿入された操作部材８と、操作部材８内部に収容されるとともにケース６の貫通孔６ａに上下動自在に挿入された略四角柱状のストッパ９と、ケース６内部に収容され、前記操作部材８およびストッパ９を上方へ付勢する圧縮コイルバネ１０と、ケース６の裏面を覆う裏蓋１１とから構成されている。
【００３３】
なお、本実施の形態では、一対の磁石本体７を備えた例をあげて説明しているが、本発明はこれに限定されるものではなく、磁力の強い磁石を１個備えたものであってもよく、この場合、磁石２全体をコンパクトにすることが可能である。
【００３４】
ケース６の下面６ｃは、後方に向かうにつれて上昇するように傾斜しており、上方に揺動したプレート４と磁石本体７とがぴったりと面接触できるようになっている。また、ケース６の下面６ｃの奥端には、ドアＤに沿って下方に延びる部分６ｂが形成されており、かかる部分６ｂに対して、磁石本体７に吸着されたプレート４の先端が衝突するようになっている。ケース６の部分６ｂは、プレート４との衝突の際の衝撃を吸収できるように、合成樹脂で作製したり、表面にゴムなどを貼着するのが好ましい。
【００３５】
一対の磁石本体７は、前述したようにケース６内部においてピン１７廻りに回動自在に設けられているため、磁性体からなるプレート４が上方へ揺動して磁石本体７に吸着されるときに、プレート４に押された磁石本体７も若干回動（図１０〜１１参照）することにより、ドアのガタや戸当りの取付誤差などの誤差を自動的に修正することができ、磁石本体７はプレート４に常に面接触することが可能である。
【００３６】
なお、本実施の形態では磁石本体７が回動自在である例が示されているが、本発明はこれに限定されるものではなく、磁石本体７をケース６に固定してもよい。
【００３７】
本実施の形態において、プレート４を磁石２の下面（すなわち、ケース６の下面６ｃ）にロックするためのロック機構は、ストッパ９から構成されている。ストッパ９の下端には、プレート４の係合孔５に係合しやすいように、爪９ａが形成されている。また、爪９ａがプレート４の表面を滑って係合孔５に係合しやすいようにストッパ９の下面９ｂは、後方に向かうにつれて下降するように傾斜している。
【００３８】
ストッパ９は、操作部材８内部において下方に出没自在に取り付けられているため、ストッパ９にプレート４の凹部５を係合することが容易になっている。
【００３９】
具体的には、図２に示されるように、ストッパ９には、上下方向に延びるスリット９ｃが形成され、スリット９ｃには、両端がケース６に固定されたピン１８が図２の紙面垂直方向に向けて挿入されているため、ストッパ９は所定のストロークだけ上下に移動することができるようになっている。また、ストッパ９は、操作部材８内部に収容された圧縮コイルバネ１９の付勢力により、常時下方に付勢されている。
【００４０】
以上のような構成により、ストッパ９を磁石２の下面から突出させた状態でプレート４に近づければ、ストッパ９の先端が一旦、ケース６内部に退避しながらプレート４の前縁を乗り上げ、そののち復帰用の圧縮コイルバネ１９の復元力により、ストッパ９の先端は再度外部に突出してプレート４の凹部５に容易かつ確実に係合することができる。
【００４１】
また、図１、２、１０〜１１に示されるように、本実施の形態では、裏蓋１１を上方に延長するとともに裏蓋１１前面の少なくとも一部を赤色などで着色することにより、表示部１１ａが形成されている。それにより、操作部材８を下方に押してストッパ４を下方に突出させたときに、表示部１１ａが見えることにより、ストッパ４が突出していることを視認することができる。
【００４２】
なお、本実施の形態では、ストップ９が出没自在である態様を例にあげて説明しているが、本発明はこれに限定されるものではなく、ストッパ９を操作部材８に対して動かないように固着してもよい。
【００４３】
さらに、本実施の形態の戸当りは、操作部材８およびストッパ９を所定の下方位置に容易にロックしたり、または解除できるように、裏蓋１１の内側に昇降機構１２を備えている。
【００４４】
昇降機構１２は、図２および図５に示されるように、前記操作部材８の後面に回転自在に取り付けられた係止部１３ａを有する係止体１３と、ケース６の後面に設けられた、前記係止体１３に当接し得る当接体１４と、前記ケース６の後面の前記当接体１４よりも上側に設けられた、前記係止体１３の係止体１３ａを係止するための突起１５とから構成されている。
【００４５】
昇降機構１２は、以下のようにして操作部材８およぶストッパ９のロックを行なう。まず、足で操作部材８の上面１６を押し下げれば、係止体１３がケース６の後面に形成された溝６ｄ内部を下降し、当接体１４が係止体１３に当接して係止体１３を回転させる（図６参照）。
【００４６】
そののち、足を操作部材８から離せば、操作部材８は、前記圧縮コイルバネ１０の付勢力によって上昇するが、係止体１３の係止部１３ａが突起１５に係止されたときに所定の下方位置にロックされる（図７参照）。このとき、ストッパ９の下端は、ケース６から若干下方に突出する（図１０参照）。ただし、前述のように、ストッパ９は操作部材８に対して出没自在に取り付けられているため、ストッパ９は単独で上下に若干移動可能である。
【００４７】
さらに、もう１度、足で操作部材８を押し下げれば、図８のように、当接体１４がさらに係止体１３を回転させることにより、操作部材８のロックを解除することができる。
【００４８】
本実施の形態の戸当りを使用する場合、図１０に示されるように、まず足で磁石２の操作部材８を踏み、ストッパ９を下方に突出させてロックさせ、このロック状態で、ドアＤを全開位置まで開ける。
【００４９】
ドアＤが全開位置までくると、図１１に示されるように、プレート４は上方へ揺動して磁石２の下面に吸着されるとともに、ストッパ９が、上下に若干移動しながらプレート４の係合孔５に係合する。それにより、ドアＤは、全開位置に容易かつ確実にロックされ、ドアＤに風が当っても不意に閉まることがなくなる。
【００５０】
一方、ドアＤのロックを解除したい場合には、再度、足で操作部材８を踏めば、ストッパ９は上方へ移動してロックが解除されるので、ロック解除後は、ドアＤを容易に閉めることができる。
【００５１】
なお、ロック解除の状態でも、ドアＤを全開位置まで開ければ、プレート４が磁石２に吸着するので、ドアＤは弱い力で全開位置に保持される。したがって、荷物の搬入を行なう場合など、一時的にドアＤを全開位置に保持したいときに便利である。
【図面の簡単な説明】
【００５２】
【図１】本発明の戸当りの一実施の形態を示す斜視説明図である。
【図２】図１の磁石の断面説明図である。
【図３】図１の磁石を下から見た図である。
【図４】図１のケース内部を上から見た図である。
【図５】図１の磁石におけるストッパのための昇降機構の主要部の動きを示す工程説明図である。
【図６】図１の磁石におけるストッパのための昇降機構の主要部の動きを示す工程説明図である。
【図７】図１の磁石におけるストッパのための昇降機構の主要部の動きを示す工程説明図である。
【図８】図１の磁石におけるストッパのための昇降機構の主要部の動きを示す工程説明図である。
【図９】図１の本体部分の平面説明図であって、（ａ）は本体部分を上から見た図であり、（ｂ）はプレートを上から見た図ならびに（ｃ）は軸押さえ板を上から見た図である。
【図１０】図１の磁石下面のストッパとプレートとが係合する工程を示す工程断面説明図である。
【図１１】図１の磁石下面のストッパとプレートとが係合する工程を示す工程断面説明図である。
【図１２】従来のドアの固定状態を示す説明図である。
【図１３】従来の戸当りを示す説明図である。
【符号の説明】
【００５３】
１  本体部分
２  磁石
３  台座
４  プレート
【図１】
2008190314.tif 000003
【図２】
2008190314.tif 000004
【図３】
2008190314.tif 000005
【図４】
2008190314.tif 000006
【図５】
2008190314.tif 000007
【図６】
2008190314.tif 000008
【図７】
2008190314.tif 000009
【図８】
2008190314.tif 000010
【図９】
2008190314.tif 000011
【図１０】
2008190314.tif 000012
【図１１】
2008190314.tif 000013
【図１２】
2008190314.tif 000014
【図１３】
2008190314.tif 000015